(57)【要約】      （修正有）【課題】低価格であって、腰を屈めることなく簡単な操作で、扉を開いた状態に維持でき、且つ前記扉を閉じ得る状態にできる扉止め装置を提供する。【解決手段】扉側部材１は、固定筒３内に上下動自在に設けられ、山部と谷部を交互に設けると共に押圧子本体２３のみが下端側から突出する押圧子２と、複数の突起部を有するリング状の回転カム４と、前記回転カムを下方に向って付勢する付勢手段とからなり、固定筒３に対して押圧子本体２３を押し込む度に押圧子本体２３の下端位置が上下に切り換わる。他方、床側部材８は、扉部側材１に近い側から中段部８０→下段部８１→上段部８２の順序で高さ設定され、中段部８０を越えるときには突起部は浅溝に挿入される位置に維持され、下段部８１と上段部８２相互間における押圧子本体２３の行き来により突起部が挿入される溝が浅溝と深溝相互間で切り換わる。【選択図】図１
2010203052.tif 000002
【特許請求の範囲】
【請求項１】
扉側部材は、周方向に浅溝と深溝を交互に設けてある固定筒と、前記固定筒内に上下動自在に設けられ、山部と谷部を交互に設けると共に押圧子本体のみが下端側から突出する押圧子と、前記山部と谷部上に配置される複数の突起部を有するリング状の回転カムと、前記回転カムを下方に向って付勢する付勢手段とからなり、固定筒に対して押圧子本体を押し込む度に、山部及び谷部と突起部とのカム機構的対偶によって突起部が挿入される溝が浅溝→深溝→浅溝→深溝にと切り換わり、それに伴い押圧子本体の下端位置が上下に切り換わるようにしてあり、他方、床側部材は、扉部側材に近い側から中段部→下段部→上段部の順序で高さ設定され、中段部を越えるときには突起部は浅溝に挿入される位置に維持され、下段部と上段部相互間における押圧子本体の行き来により突起部が挿入される溝が浅溝と深溝相互間で切り換わることを特徴とする扉部材と床部材とからなる扉止め装置。
【請求項２】
浅溝と深溝の間の構成部分は、回転カムの回転方向に対して下方に傾斜していくものとしてあり、山部及び谷部と突起部とのカム機構的対偶時には、突起部は前記傾斜上にあることを特徴とする請求項１記載の扉止め装置。
【請求項３】
押込み手段は、コイルバネであることを特徴とする請求項１又は２記載の扉止め装置。
【発明の詳細な説明】
【技術分野】
【０００１】
この発明は、腰を屈めることなく、簡単な操作で、扉を開いた状態に維持でき、且つ前記扉を閉じ得る状態にできる扉止め装置に関するものである。
【背景技術】
【０００２】
扉止め装置は、扉を開状態に維持するために、扉当たり側にリング部を設けてあり、このリング部を扉側に設けた係部に引っ掛けるようにするものが一般的である。
【０００３】
しかしながら、上記リング部を係部に引っ掛ける作業は、腰を屈めて行なわなければならず、高齢者にとっては結構きつい作業である。
【０００４】
上記問題を解決するための扉止め装置としては、例えば、特開平９−８８３９９号に示された形態のものがある。
【０００５】
これは、扉の自由端部の下部に設けられる扉止め装置であって、扉に固定される本体と、この本体に上下動自在に設けられたロッドと、このロッドを上下動させる操作部と、前記ロッドの下端に設けられた可撓性当接片と、下側に移動したロッドをその位置でロックするロッドロック機構とを有しているものである。
【０００６】
この扉止め装置によると、可撓性当接片を床面等の固定側部に対して押しつけることにより扉を固定することができ便利である。
【０００７】
しかしながら、扉内に複雑な装置を設けなければならず、非常に高価なものとなってしまい、一般的な家庭用ドアには採用されないと考えられる。
【０００８】
したがって、低価格であり且つ腰を屈めることなく簡単に扉をロック・ロック解除ができるものが高齢者の間で望まれているが、現在のところそのようなものは存在していない。
【先行技術文献】
【特許文献】
【０００９】
【特許文献１】特開平９−８８３９９号公報（図２参照）
【発明の概要】
【発明が解決しようとする課題】
【００１０】
そこで、この発明では、低価格であって、腰を屈めることなく簡単な操作で、扉を開いた状態に維持でき、且つ前記扉を閉じ得る状態にできる扉止め装置を提供することを課題とする。
【課題を解決するための手段】
【００１１】
（請求項１記載の発明）
この発明の扉止め装置は、扉側部材は、周方向に浅溝と深溝を交互に設けてある固定筒と、前記固定筒内に上下動自在に設けられ、山部と谷部を交互に設けると共に押圧子本体のみが下端側から突出する押圧子と、前記山部と谷部上に配置される複数の突起部を有するリング状の回転カムと、前記回転カムを下方に向って付勢する付勢手段とからなり、固定筒に対して押圧子本体を押し込む度に、山部及び谷部と突起部とのカム機構的対偶によって突起部が挿入される溝が浅溝→深溝→浅溝→深溝にと切り換わり、それに伴い押圧子本体の下端位置が上下に切り換わるようにしてあり、他方、床側部材は、扉部側材に近い側から中段部→下段部→上段部の順序で高さ設定され、中段部を越えるときには突起部は浅溝に挿入される位置に維持され、下段部と上段部相互間における押圧子本体の行き来により突起部が挿入される溝が浅溝と深溝相互間で切り換わるようにしてある。
【００１２】
（請求項２記載の発明）
この発明の扉止め装置は、上記請求項１記載の発明に関し、浅溝と深溝の間の構成部分は、回転カムの回転方向に対して下方に傾斜していくものとしてあり、山部及び谷部と突起部とのカム機構的対偶時には、突起部は前記傾斜上にある。
【００１３】
（請求項３記載の発明）
この発明の扉止め装置は、上記請求項１又は２記載の発明に関し、押込み手段は、コイルバネである。
【発明の効果】
【００１４】
この発明の扉止め装置よると、低価格であって、腰を屈めることなく簡単な操作で、扉を開いた状態に維持でき、且つ前記扉を閉じ得る状態にできることになる。
【図面の簡単な説明】
【００１５】
【図１】扉に取り付けられた扉側部材と、床に取り付けられた床側部材とをしめす外観斜視図。
【図２】前記扉側部材と、床側部材との分解斜視図。
【図３】前記扉側部材の断面図。
【図４】深溝、浅溝と、山部、谷部と、回転カムとの関係を示す模式図。
【図５】扉を開いた状態に維持するための動作を示す状態図。
【図６】扉が開いた状態から閉じ得る状態にするための動作を示す状態図。
【発明を実施するための最良の形態】
【００１６】
以下にこの発明の扉止め装置を実施するための最良の形態として実施例について詳しく説明する。
【実施例１】
【００１７】
図１は扉止め装置を構成する扉側部材１と床側部材８とを示す斜視図、図２は前記扉側部材１と床側部材８の分解斜視図、図３は前記扉側部材１の断面図、
図４は深溝、浅溝と、山部、谷部と、回転カムとの関係を示す模式図、図５は
扉を開いた状態に維持するための動作を示す状態図、図６は扉が開いた状態から得る状態にするための動作を示す状態図を示している。
【００１８】
（扉側部材１の基本的構成について）
扉側部材１は、図１〜図３に示すように、上端部において周方向に浅溝３１と深溝３０を交互に設けてある固定筒３と、前記固定筒３内に上下動自在に設けられ、山部２０と谷部２１を交互に設けると共に押圧子本体２３のみが下端側から突出する押圧子２と、前記山部２０と谷部２１上に配置される複数の突起部４０を有するリング状の回転カム４と、前記回転カム４を下方に向って付勢する付勢手段９とからなり、固定筒３に対して押圧子本体２３を押し込む度に、山部２０及び谷部２１と突起部４０とのカム機構的対偶によって突起部が挿入される溝が浅溝→深溝→浅溝→深溝にと切り換わり、それに伴い押圧子本体２３の下端位置が上下に切り換わるようにしてある。
【００１９】
ここで、上記した又は上記以外の構成の構成部材２、３、４、５、６は、図２や図３に示すように、ほぼベース部７の孔部７０及びネジ孔部７１に組み込まれており、押圧子本体２３の下側部のみ下方に向って突出している。
【００２０】
他方、床側部材８は、図３、図５、図６に示すように、扉部側材１に近い側から中段部８０→下段部８１→上段部８２の順序で高さ設定され、中段部８０を越えるときには突起部４０は浅溝３１に挿入される位置に維持され、下段部８１と上段部８２相互間における押圧子本体２３の行き来により突起部４０が挿入される溝が浅溝３１と深溝３０相互間で切り換わるようになっている。
【００２１】
（扉側部材１の具体的構成について）
「押圧子２の構成」
押圧子は、図１〜図３に示すように、約下半分は押圧子本体２３であり、上半分は上端開放の円筒部２４としてある。ここで、前記した円筒部２４には、図２や図３に示すように、その先端部に山部２０と谷部２１とが周方向において交互に設けてあり、更にその下側には回止軸２２を突出させてある。
【００２２】
「固定筒３、回転カム４の構成」 
固定筒３は、図２に示すように、上記した押圧子本体２３を除いた上側部分が上下動可能に外挿される筒状のものであり、上端には浅溝３１と深溝３０とが周方向に交互に設けられており、中程に縦長孔３２を有する雄ネジ部３４が形成されている。なお、上記縦長孔３２には回止軸２２が挿入され、この構造により上記押圧子２と固定筒３は相対回転不能であり、且上下動が可能となる。
【００２３】
回転カム４は、図２や図３に示すように、浅溝３１と深溝３０が形成されている筒部内に嵌入するようにしてあり、この状態において突起部４０は浅溝３１又は深溝３０に挿入されるようになっている。
【００２４】
ここで、上記浅溝３１と深溝３０との間の構成部分は、図２や図３に示すように、回転カム４の回転方向に対して下方に向って傾斜していくものとしてあり、山部２０及び谷部２１と突起部４０とのカム機構的対偶時には、図４の（ｂ）に示すように突起部４０は山部２０の傾斜面２０ａ上にある状態となっている。よって、突起部４０は円滑に深溝３０から浅溝３１への移行できる。
【００２５】
「回転カム押さえ５、コイルバネ６０、バネ受け６及び上蓋７２の構成」
回転カム押え５は、図２や図３に示すように、鍔部を有した上端のみ開放の筒状のものであり、固定筒３を介して円筒部２４に差し込まれている。
【００２６】
コイルバネ６０は、図２や図３に示すように、上記回転カム押え５の上部５０に載せ置かれている。
【００２７】
バネ受け６は、図２や図３に示すように、軸状のものであり、下端は回転カム押え４内に、上端は上蓋７２に形成された孔７２ａ内に挿入されている。
【００２８】
なお、上記回転カム押さえ５、コイルバネ６０、バネ受け６及び上蓋７２により、上記付勢手段９を形成している。
【００２９】
「ベース部７の構成」
ベース部７は、図１〜図３に示すように、両サイド部よりも中央部のみを圧肉にし、この圧肉の部分に、押圧子２、固定筒３、回転カム４、回転カム押え５、コイルバネ６０及びバネ受け６を内装するようにしている。また、両サイド部にそれぞれ孔７４を形成し、この孔７４に挿入したビス７３を扉Ｔのネジ孔ｔにねじ込むようにしてベース部７を扉Ｔに固定している。
【００３０】
なお、ベース部７は図１に示すように床Ｕにビス８４で固定される。
【００３１】
「床側部材８の構成」
押圧子本体２３を押し込んで、突起部４０が浅溝３１の位置にあるようにすると、押圧子本体２３の下端は、中段８９よりも少し高い位置にある状態となるように設定してある。
【００３２】
上記状態よりも、さらに押圧子本体２３を押し込むと、今度は突起部４０は深溝３０に挿入され、下段８１よりも少し高く且つ中段８０よりも低い位置に押圧子本体２３の下端がくるように設定してある。
【００３３】
（扉Ｔに取り付けた扉側部材１と床に取り付けた床側部材８との関係について）
（１）初期設定
図５（ａ）に示すものは初期状態（突起部４０が浅溝３１に挿入されている状態）であり、押圧子本体２３を上方に押し込んだ状態にある。すなわち、図５（ｂ）に示す如き、押圧子本体２３の下端は、中段部８０よりも少し上方にある
（２）扉Ｔがほとんど動かないようにする操作
中段部８０上方を移動して更に下段部８１の上方に２移動させる（突起部４０が浅溝３１に挿入されている状態はかわらない）。図５（ｂ）の状態から図５（ｃ）の如き、押圧子本体２３の下端が上段８２部まで至るまで移動させる。その後図５の（ｄ）から（ｅ）の状態になると押圧子本体２３は中段８０よりも低い位置くる（突起部４０が浅溝３０に挿入されている状態）。
【００３４】
したがって、扉Ｔは、ほとんど動かないことになる。
（３）扉Ｔが移動可能となって開くようにするなる操作
図６（ａ）の状態から扉Ｔを押し込んで、図６（ｂ）（ｃ）に示すように、押圧子本体２３の下端を上段８２に移動するまで押していく。その後、図６（ｄ）の如き移動させると、突起部４０は浅溝３１に挿入されている状態となり、中段８０よりも少し高い位置が維持される。この状態では扉１を手前に引くと、扉１は問題なく開くことができる。
（４）以上のように、従来技術の如き複雑且つ大がかりにならないから低価格であり、更に腰を屈めることなく簡単に扉をロック・ロック解除ができることが明らかである。
【符号の説明】
【００３５】
Ｔ      扉
１      扉側部材
２      押圧子
２０    山部
２０ａ  傾斜面
２１    谷部
２２    回止軸
２３    押圧子本体
３      固定筒
３０    深溝
３１    浅溝
３２    縦長孔
３３    嵌入孔部
３４    雄ネジ部
４      回転カム
４０    突起部
５      回転カム押え
５０    上部
６      バネ受け
６０    コイルバネ
７      ベース部
７０    孔部
７１    ネジ孔部
７２    上蓋  
７２ａ  孔
８      床側部材
８０    中段部
８１    下段部
８２    上段部  
【図１】
2010203052.tif 000003
【図２】
2010203052.tif 000004
【図３】
2010203052.tif 000005
【図４】
2010203052.tif 000006
【図５】
2010203052.tif 000007
【図６】
2010203052.tif 000008